【手続補正書】
【提出日】平成30年2月9日(2018.2.9)
【手続補正１】
【補正対象書類名】特許請求の範囲
【補正対象項目名】全文
【補正方法】変更
【補正の内容】
【特許請求の範囲】
【請求項１】
無線通信デバイスから発信されるＢｌｕｅｔｏｏｔｈ  Ｌａｗ  Ｅｎｅｒｇｙ（ＢＬＥ）に基づく近距離無線信号を検出可能な通信手段を備える画像形成装置であって、
前記通信手段が前記ＢＬＥに基づく近距離無線信号を検出した場合、印刷準備処理を実行する実行手段と、
前記印刷準備処理が実行された後、記録ヘッドからインクを吐出することにより印刷処理を実行する印刷手段と、
を備えることを特徴とする画像形成装置。
【請求項２】
前記通信手段が前記近距離無線信号を検出すると、前記印刷準備処理を実行するか否かを決定する決定手段、をさらに備え、
前記実行手段は、前記決定手段が前記印刷準備処理を実行すると決定した場合に前記印刷準備処理を実行することを特徴とする請求項１に記載の画像形成装置。
【請求項３】
前記無線通信デバイスに対応するユーザが前記画像形成装置で印刷を行うユーザであるか否かを判定する判定手段、をさらに備え、
前記判定手段により前記画像形成装置で印刷を行うユーザであると判定された場合、前記印刷準備処理が前記実行手段により実行されることを特徴とする請求項１又は２に記載の画像形成装置。
【請求項４】
前記判定手段により前記画像形成装置で印刷を行うユーザであると判定された場合、前記近距離無線信号に基づいて、前記無線通信デバイスと前記画像形成装置との間の距離情報を取得する取得手段と、
前記取得手段により取得された前記距離情報と、前記印刷準備処理とから、前記印刷準備処理を実行するか否かを判定する第２の判定手段と、
前記第２の判定手段により前記印刷準備処理を実行すると判定された場合、前記実行手段に前記印刷準備処理を実行させ、前記第２の判定手段により前記印刷準備処理を実行しないと判定された場合、前記実行手段に前記印刷準備処理を実行させない制御手段と、
をさらに備えることを特徴とする請求項３に記載の画像形成装置。
【請求項５】
前記印刷準備処理にかかる時間を距離情報に変換し、当該距離情報を、前記取得手段により取得された前記距離情報と比較する比較手段、をさらに備え、
前記比較手段による比較の結果、前記取得手段により取得された前記距離情報が、当該変換された距離情報より短い場合に、前記第２の判定手段は、前記印刷準備処理を実行すると判定することを特徴とする請求項４に記載の画像形成装置。
【請求項６】
前記印刷準備処理は、記録ヘッドのクリーニング処理、当該クリーニング処理を簡易にした簡易版のクリーニング処理のいずれかを含むことを特徴とする請求項１乃至５のいずれか１項に記載の画像形成装置。
【請求項７】
前記印刷準備処理は、ロール紙の交換処理を含むことを特徴とする請求項１乃至６のいずれか１項に記載の画像形成装置。
【請求項８】
無線通信デバイスから発信されるＢｌｕｅｔｏｏｔｈ  Ｌａｗ  Ｅｎｅｒｇｙ（ＢＬＥ）に基づく近距離無線信号を検出可能な通信手段を備える画像形成装置において実行される印刷処理の実行方法であって、
前記通信手段が前記ＢＬＥに基づく近距離無線信号を検出した場合、印刷準備処理を実行する実行工程と、
前記印刷準備処理が実行された後、記録ヘッドからインクを吐出することにより印刷処理を実行する印刷工程と、
を有することを特徴とする印刷処理の実行方法。
【請求項９】
コンピュータとしての画像形成装置を、
無線通信デバイスから発信されるＢｌｕｅｔｏｏｔｈ  Ｌａｗ  Ｅｎｅｒｇｙ（ＢＬＥ）に基づく近距離無線信号を検出可能な通信手段が前記ＢＬＥに基づく近距離無線信号を検出した場合、印刷準備処理を実行する実行手段、
前記印刷準備処理が実行された後、記録ヘッドからインクを吐出することにより印刷処理を実行する印刷手段、
として機能させるためのプログラム。
【請求項１０】
前記通信手段が前記近距離無線信号を検出すると、前記印刷準備処理を実行するか否かを決定する決定手段、としてさらに機能させ、
前記実行手段は、前記決定手段が前記印刷準備処理を実行すると決定した場合に前記印刷準備処理を実行することを特徴とする請求項９に記載のプログラム。
【請求項１１】
前記無線通信デバイスに対応するユーザが前記画像形成装置で印刷を行うユーザであるか否かを判定する判定手段、としてさらに機能させ、
前記判定手段により前記画像形成装置で印刷を行うユーザであると判定された場合、前記印刷準備処理が前記実行手段により実行されることを特徴とする請求項９又は１０に記載のプログラム。
【請求項１２】
前記判定手段により前記画像形成装置で印刷を行うユーザであると判定された場合、前記近距離無線信号に基づいて、前記無線通信デバイスと前記画像形成装置との間の距離情報を取得する取得手段、
前記取得手段により取得された前記距離情報と、前記印刷準備処理とから、前記印刷準備処理を実行するか否かを判定する第２の判定手段、
前記第２の判定手段により前記印刷準備処理を実行すると判定された場合、前記実行手段に前記印刷準備処理を実行させ、前記第２の判定手段により前記印刷準備処理を実行しないと判定された場合、前記実行手段に前記印刷準備処理を実行させない制御手段、
としてさらに機能させることを特徴とする請求項１１に記載のプログラム。
【請求項１３】
前記印刷準備処理にかかる時間を距離情報に変換し、当該距離情報を、前記取得手段により取得された前記距離情報と比較する比較手段、としてさらに機能させ、
前記比較手段による比較の結果、前記取得手段により取得された前記距離情報が、当該変換された距離情報より短い場合に、前記第２の判定手段は、前記印刷準備処理を実行すると判定することを特徴とする請求項１２に記載のプログラム。
【請求項１４】
前記印刷準備処理は、記録ヘッドのクリーニング処理、当該クリーニング処理を簡易にした簡易版のクリーニング処理のいずれかを含むことを特徴とする請求項９乃至１３のいずれか１項に記載のプログラム。
【請求項１５】
前記印刷準備処理は、ロール紙の交換処理を含むことを特徴とする請求項９乃至１４のいずれか１項に記載のプログラム。
【手続補正２】
【補正対象書類名】明細書
【補正対象項目名】発明の名称
【補正方法】変更
【補正の内容】
【発明の名称】画像形成装置、印刷処理の実行方法およびプログラム
【手続補正３】
【補正対象書類名】明細書
【補正対象項目名】０００１
【補正方法】変更
【補正の内容】
【０００１】
本発明は、近距離無線通信が可能な画像形成装置、印刷処理の実行方法およびプログラムに関する。
【手続補正４】
【補正対象書類名】明細書
【補正対象項目名】０００５
【補正方法】変更
【補正の内容】
【０００５】
本発明の目的は、このような従来の問題点を解決することにある。上記の点に鑑み、本発明は、印刷処理を効率的に実行する画像形成装置、印刷処理の実行方法およびプログラムを提供することを目的とする。
【手続補正５】
【補正対象書類名】明細書
【補正対象項目名】０００６
【補正方法】変更
【補正の内容】
【０００６】
上記課題を解決するため、本発明に係る画像形成装置は、無線通信デバイスから発信されるＢｌｕｅｔｏｏｔｈ  Ｌａｗ  Ｅｎｅｒｇｙ（ＢＬＥ）に基づく近距離無線信号を検出可能な通信手段を備える画像形成装置であって、前記通信手段が前記ＢＬＥに基づく近距離無線信号を検出した場合、印刷準備処理を実行する実行手段と、前記印刷準備処理が実行された後、記録ヘッドからインクを吐出することにより印刷処理を実行する印刷手段と、を備えることを特徴とする。
【手続補正６】
【補正対象書類名】明細書
【補正対象項目名】０００７
【補正方法】変更
【補正の内容】
【０００７】
本発明によれば、印刷処理を効率的に実行することができる。